(57)【特許請求の範囲】
【請求項１】
ホログラム記憶方法であって、該方法は、
（Ａ）光学ポリマ型のホログラム記憶媒体を用意するステップと、
（Ｂ）前記ホログラム記憶媒体中に、空間多重化技術によって、平面な第１行内に第１組のホログラムを記憶するステップであって、該第１組の各ホログラムは幅Ｗを有しており、前記第１組の各ホログラムは、前記第１組の隣接するホログラムの中心から、Ｗの距離だけ離れている、第１組のホログラムを記憶するステップと、
を備え、
（Ｃ）前記ホログラム記憶媒体中に、前記空間多重化技術によって、前記第１行に第２組のホログラムを記憶するステップであって、該第２組の各ホログラムは幅Ｗを有しており、前記第２組の各ホログラムは、前記第２組の隣接するホログラムの中心から、Ｗの距離だけ離れており、さらに前記第２組の各ホログラムの中心は、前記第１組のホログラムの中心からＷ／２の距離だけ離れている、第２組のホログラムを記憶するステップと、
をさらに備えることを特徴とするホログラム記憶方法。
【請求項２】
（Ｄ）前記ホログラム記憶媒体中に、前記空間多重化技術によって、平面な第２行に、第３組のホログラムを記憶するステップであって、前記第２行は前記第１行と同じ平面にあり、前記第３組の各ホログラムは幅Ｗを有しており、前記第３組の各ホログラムは、前記第３組の隣接するホログラムの中心から、Ｗの距離だけ離れている、第３組のホログラムを記憶するステップと、
（Ｅ）前記ホログラム記憶媒体中に、前記空間多重化技術によって、前記第２行に第４組のホログラムを記憶するステップであって、該第４組の各ホログラムは幅Ｗを有しており、前記第４組の各ホログラムは、前記第４組の隣接するホログラムの中心から、Ｗの距離だけ離れており、さらに前記第４組の各ホログラムの中心は、前記第３組のホログラムの中心からＷ／２の距離だけ離れており、前記第２行の各ホログラムの中心は、前記第１行のホログラムの中心から、Ｗの距離だけ離れている、第４組のホログラムを記憶するステップと、
をさらに備えることを特徴とする請求項１記載の方法。
【請求項３】
（Ｆ）前記ホログラム記憶媒体中に、前記空間多重化技術によって、第３行に、第５組のホログラムを記憶するステップであって、前記第３行は、前記第１行及び前記第２行と同じ平面にあり、前記第５組の各ホログラムは幅Ｗを有しており、前記第５組の各ホログラムは、前記第５組の隣接するホログラムの中心から、Ｗの距離だけ離れている、第５組のホログラムを記憶するステップと、
（Ｇ）前記ホログラム記憶媒体中に、前記空間多重化技術によって、前記第３行に第６組のホログラムを記憶するステップであって、該第６組の各ホログラムは幅Ｗを有しており、前記第６組の各ホログラムは、前記第６組の隣接するホログラムの中心から、Ｗの距離だけ離れており、さらに前記第６組の各ホログラムの中心は、前記第５組のホログラムの中心からＷ／２の距離だけ離れており、前記第３行の各ホログラムの中心は、前記第１行のホログラムから、Ｗ／２の距離だけ離れている、第６組のホログラムを記憶するステップと、
をさらに備えることを特徴とする請求項２記載の方法。
【請求項４】
前記空間多重化技術は、シフト多重化と、開口多重化と、位相相関多重化からなるグループから選択されることを特徴とする請求項１記載の方法。
【請求項５】
前記第１行は、直線状であることを特徴とする請求項１記載の方法。
【発明の詳細な説明】
【０００１】
【発明の属する技術分野】
本発明は、ページ単位の記録システムに関し、特に、ホログラム記録システムに関する。
【０００２】
【従来の技術】
情報を記録するデバイスと方法の開発者は、常に記憶容量を増大するよう努めている。この種の開発の一部として、ページ単位のメモリシステム、特にホログラム記録システムが従来のメモリデバイスに変わるものとして提案されている。ホログラム（記録）システムは、情報をページ全体にわたって記憶したり呼び出したりしている。このページは、情報を表すパターン列から構成されている。一般的にホログラムシステムは三次元で、屈折率および／または吸収のパターンとしてページのホログラム表示を記録記憶媒体に刻印している。ホログラムシステムは、D. Psaltis et al., 著の“Holographic Memories,”Scientific American, November 1995. に議論されている。
【０００３】
ホログラムシステムの特徴は、高密度記録容量と記録された情報をランダムにアクセスし取り出すことのできる速度が速いことである。実際情報は通常ページ単位で操作される、すなわち記録されたり読み出されたりするために、記録速度と読み出し速度は従来の磁気ディスク、あるいはコンパクトディスクによる記録システムよりも速い。しかしホログラムシステムの大きな利点は記録容量である。数千さらにはまた数百万の素子を、各ページがホログラム画像として記録することが可能である。理論上は、現在のところ１０14ビットの情報が１．０ｃｍ3のホログラム記録記憶媒体に記録することができる。
【０００４】
図１は、ホログラム記録システム１の基本的構成要素を表す。ホログラム記録システム１は、変調デバイス２と光学記録記憶媒体３とセンサー４とを有する。変調デバイス２は、二次元でデータを光学的に表すことのできるいかなるデバイスでもよい。変調デバイス２は一般的には空間光変調器で、この空間光変調器にデータを符号化する符号化装置に取り付けられる。変調デバイス２は、それに入る光を反射したり通過させたりして、光ビームの一部を選択的に通過させたり、あるいは阻止したりしている。かくして信号光５は、データ画像でもって符号化される。このデータ画像は符号化された信号光５と参照光６を、光学記録記憶媒体３の上あるいは中で干渉させることにより記録される。干渉は、干渉パターンすなわちホログラムを形成し、これが例えば屈折率の変化のパターンとして光学記録記憶媒体３の中に捕獲される。１カ所に複数のホログラム画像を記憶することが可能である。すなわち、重なり合った位置に複数のホログラムを記憶することが可能であり、これは例えば変調デバイス２の角度と波長と位相を変化させることにより行われる（これは通常それぞれ、角度相関多重化、波長相関多重化、位相相関多重化と称する）。
【０００５】
信号光５は、光学記録記憶媒体３の中で参照光６と交差する前にレンズ７を通過する。参照光６はこの交差の前にレンズ８を通過してもよい。データが光学記録記憶媒体３の中に記録されると、参照光６と光学記録記憶媒体３を、データを記録する際に参照光６が向けられたのと同一の場所と角度、または波長、または位相でもって参照光６と光学記録記憶媒体３を交差させることによりデータを取り出すことが可能である。再生されたデータは、レンズ９を通過して、センサー４により検出される。センサー４は例えば、ＣＣＤあるいは活性ピクセルＣＭＯＳセンサーである。センサー４は通常データを復号化する装置に取り付けられている。
【０００６】
ホログラム記録の１つの方法は、位相相関多重化ホログラフィーであり、これは米国特許第５７１９６９１号（１９９８年２月１７日発行）に開示されている。位相相関多重化ホログラフィーの一実施例においては、参照光ビームは位相マスクを通過し、記録記憶媒体内でデータを表示するアレイを通過してきた信号ビームと交差して記憶媒体中にホログラムを形成している。信号光と参照光に対する記録記憶媒体の位置は、記憶媒体中で光ビームがオーバーラップする場所で、データが記憶できるよう変化させている。データの再生は、データを記憶する間に用いられたのと同一の位相変調でもって、もとの記録位置に参照光を通過させることにより行われる。例えば記憶媒体に向けられた光を制御したり変調させたりする受動型の光学構成要素として体積型のホログラム（volume holograms）、例えばフィルタあるいはビームステアラを用いることもできる。ビームに対し記録記憶媒体の動きを用いることによりデータを記録する別の技術は、開口多重化（米国特許第５８９２６０１号を参照のこと）と、シフト多重化（Optics Letters,Vol. 20, No. 7, 7８2-784(1995)を参照のこと）である。位相相関、開口多重化、シフト多重化の全ては、異なる場所にホログラムを記録しているが、それらの間に重なり合った場所が存在する。
【０００７】
個々のデータページが多重化スペース内に配置されるので、読み出しプロセスの間クロストークが発生させない為に、複数のホログラムをいかに近づけて記録するかについては限界がある。しかし十分なスペースが複数のホログラム間に存在する場合でも、クロストークノイズが隣接するホログラムの読み出しおよび／または記録プロセスの間、ホログラム内に導入される可能性がある。そのため、このようなクロストークの導入を回避あるいは低減の技術が開発されている。
【０００８】
ある技術（分散記録（sparse recording））が角度、波長、位相の符号多重化技術、すなわちホログラムがほぼ同一の物理的場所を有する技術に有効である。分散記録においては、互いに非常に近い角度あるいは波長で記録された複数のホログラムは、その順番である角度あるいは波長を入れ替えた順番で記録される。例えばホログラムが、１°２°３°４°５°６°７°８°９°１０°の角度で多重化される場合には、ホログラムは１°９°４°２°６°３°７°１０°５°８°のような順番で記録される。これによりホログラム間のクロストークを減らすことができる（これに関しては、C. Gu and J. Hong, 著の“Noise gratings formed during the multiple exposure schedule in photorefractive media,”Optics Comm., Vol. 93, 213-18(1992). を参照のこと）。この分散記録は有用であるが、特に読み出し時には複雑となる。さらにまたその有用性は、ホログラムのほぼ完全な物理的なオーバーラップに関連する技術について特に意味がある。
【０００９】
この潜在的なクロストークの問題に加えて、記録されたホログラムの劣化が、記憶媒体の屈折率と物理的寸法の局部的変動に起因して発生することがある。具体的に説明すると、光学ポリマベースの記憶媒体（photopolymer--based media）においては、光学活性モノマおよび／またはオリゴマが、選択的に反応してホログラムを形成し、そしてこの多重化が局部的な収縮を引き起こす傾向にある。かくして各連続するホログラム記録は、記憶媒体全体に物理的変動を引き起こす、例えばバルク屈折率および拡散の程度を変化させる。このような変化が加わることにより、ホログラムを読み出すときに大幅な変動、すなわちホログラムのブラグ離調（Bragg detuning）が導入される。さらにまた光学ポリマ記憶媒体は、ダイナミックレンジが有限で、すなわち屈折率の変動が有限となる傾向がある。そして空間多重化技術においては、光学ポリマ記憶媒体は、記憶媒体全体にわたって非均一の記録を示す傾向にあり、これにより記録されたデータの劣化が導入される。
【００１０】
本明細書で使用される空間多重化とは、信号光と参照光に対する記録記憶媒体の位置に対する変動が関連する多重化技術と、複数のホログラムがそれらの間に重なりを有するものを意味する。好ましいことにホログラム記録技術は、このような変化を補償するよう設計される。
【００１１】
【発明が解決しようとする課題】
本発明の目的は、クロストークと、記録記憶媒体（特に光学ポリマ記憶媒体）の物理的変化に関連した問題を低減するホログラム記録技術を提供することである。
【００１２】
【課題を解決するための手段】
本発明は、クロストークと記録記憶媒体の物理的変動を含む、光学ポリマ記憶媒体の固有の問題を解決するスキップソーティッド（skip sorted）の空間多重化技術である。この空間多重化技術は、シフト多重化、位相相関多重化、開口多重化を含む。スキップソーティッドとは、光学ポリマ記憶媒体の均一の背景露光がある場所の順番でホログラムを記憶することにより与えられるような記録技術を意味する。このようなシーケンス（順番）を用いることにより、光学ポリマが遭遇する問題を解決することができる。
【００１３】
本発明の一態様によれば、図２Ａ−Ｃに示すように、第１組のホログラム１０、１２は、平面で第１行で記憶され、その結果各ホログラムは隣のホログラムに接触して（当たって）いる、すなわち隣接するホログラムの中心はホログラムの直径分だけ離れている。（ホログラムの直径は、記録記憶媒体の面で参照光と信号光の交差により規定される距離である）。この第１組のホログラムが記憶された後、第２組のホログラム２０、２２が同一の行に記憶される、しかし第２組のホログラムは、第１組のホログラムとの完全な一致からオフセット距離だけずれている。次組のホログラムも、この第１行に同様に記録することができ、これもまた前組の完全な一致からオフセット距離だけずらして行われる。（本明細書で行とは、従来の意味で用いられ、１つのホログラムの幅でホログラムが互いに隣り合って、直線に沿って、あるいは他の形状に沿って、例えば円周形状に沿って配列される線を意味する。これは図２、図３、図４を参照のこと。完全な一致は、第１と第２組のホログラムの中心が同一場所にあることを意味する。）
【００１４】
オフセット距離とは、記録記憶媒体を完成させるのに必要とされる空間多重化シフトの正数倍であり、これについては以下に詳述する。オーバーラップしない（重なり合わない）ホログラム組を形成することにより、後続組の記録に対する背景は従来の記録技術に比較して安定する。例えばポリマ収縮（polymeric shrinkage）は、行にわたって比較的均一に発生する。
【００１５】
複数の行のホログラムが必要な場合には、本発明の他の態様によれば、第１組のホログラムと第２組のホログラム（あるいはさらに別組のホログラム）が、図２Ａ、Ｂに示すよう記録される。その後図２Ｃに示すように、第３組のホログラム（３０、３２）が第１行に隣接する第２の平行な行に形成される。具体的に説明すると第３組は、各ホログラム（３０）の中心は第３組の隣接するホログラム（３２）からホログラムの１個の直径分だけ離れ、同時にまた第１組の隣接するホログラム（１０）の中心からホログラムの１個の直径分だけ離れるよう配列される。第４組のホログラム（４０、４２）はその後、第２の行に記録される（ホログラムの中心はホログラムの１個の直径分だけ離間している）。しかし第２組と同様に、第４組のホログラム（４０、４２）は、第３組のホログラム（３０、３２）の完全な一致から同一のオフセット距離だけずれている。さらにまた、前組との完全な一致からオフセット距離だけ同様にそれぞれがシフトするように、各行にさらに余分組を形成することが可能である。
【００１６】
エッジからエッジへのホログラムの順番組を記憶することは、他の文献で議論されているが、このような技術を光学ポリマ記憶媒体で使用するような開示あるいは動機付けは存在しない。ただし、光学ポリマ記憶媒体に固有の問題を注意深く解析することにより、積層型の記憶アプローチが有利であることが見いだすことができる。
【００１７】
具体的に説明すると、博士論文“Holographic 3-D Disks and Optical Correlators using Photopolymer Materials”著者Allen Pu from the California Insttute of Technology は、リチウムナイオバイト（lithium niobate）内に行を重ね合わせたホログラムの記憶技術について議論している。この博士論文を注意深く考察しても、Allen Pu のアプローチを光学ポリマ記憶媒体に拡張できるような動機付けは存在しない。この論文の第３、４章（１４３−１７８ページ）は、１００ビット／μｍ2の記憶容量が必要とされる実験について記述している。１４４ページに記載されているように、適切な光学ポリマ記憶媒体は入手できないために、リチウムナイオバイト（光学屈折率性材料（photorefractive material））がその代わりに用いられた。最初の実験は、１５６−１５８ページで議論されているように、図３．５９（ａ）に示されるシフトホログラフ技術における問題（光学屈折性記録記憶媒体中にホログラムを順番に重ね合わせて記録するプロセスが、前に記録されたホログラムの少なくとも部分的な消去を引き起こすという問題）に遭遇している。具体的に説明すると、個々のホログラムの記録は、その空間内に前に記録されたホログラムの強度を劣化させ（１５６ページを参照）、そしてこれが不均一に起こる。この問題は、信号対ノイズ比を悪化させ、特に消去が最も支配的なホログラムのＳＮ比を劣化させる。
【００１８】
この光学屈折性材料に特有の、この消去の問題を解決するために、前述の博士論文は、図３．６０（ａ）に示すように特別の記録技術を報告している。この技術は、図３．５９（ａ）に示すように、オーバーラップした列が、最終的に達成できるよう、行内ににオーバーラップしないホログラム組を記録するものである。この構成は、連続するオーバーラップを回避することにより、より均一の消去が可能となる。しかし消去は依然として発生し、全てのホログラムに対し類似の複屈折効率を達成するために、第１のホログラムが最も高い強度でもって記録され、そして各後続組はそれよりも弱い強度でもって記録される。
【００１９】
前記の論文および上記の議論から明らかなように、Allen Pu は、光学屈折性材料に特有の消去問題を解決しているが、このような消去は、光学ポリマ記憶媒体では発生しない。かくして必要以上に複雑なこの技術を光学ポリマ材料を使用するシステムに適用する理由は見いだせない。
【００２０】
【発明の実施の形態】
本発明の一態様によれば、ホログラムは図２Ａ−Ｄに示すように、四角形あるいは矩形のパターンで記録される。第１組のホログラム１０、１２は、各ホログラムが隣のホログラムにちょうど接触するように（すなわち隣接するホログラムの中心が、ホログラムの直径１個分だけ離れている）、ほぼ平行な第１行に記録される。次に第２組のホログラム２０、２２がこの第１行に記録される。しかし第２組のホログラム２０、２２は、第１組のホログラム１０、１２の完全な一致からオフセット距離だけずれている。第１行の次に、後続組が、前組との完全な一致から同一のオフセット距離だけ同様にずれて配置することも可能である。個々組のホログラムを、ホログラムの１直径分よりより近接して配置することも可能である。通常そのオフセット距離は、ホログラムの直径の少なくとも２％、より一般的には少なくとも５０％である。実際のオフセット距離は、特定のホログラムシステムに対するトレードオフに依存している。その理由は、スペースがより広くなると均一性が増加するがシステム速度が遅くなるからである。
【００２１】
複数の行のホログラムが必要な場合には、本発明の他の態様によれば、ホログラム組が第１の行内に記録される（図２Ａ、Ｂ）。その後図２Ｃに示すように、第３組のホログラム３０、３２が第２の行（通常第１の行に隣り合う）に形成される。例えば第３組は、各ホログラム（３０）の中心が、第３組の隣接するホログラム（３２）からホログラムの１直径分だけ離れるように、かつ第１組の隣接するホログラム（１０）の中心からホログラムの１直径分だけ離れるように配列される。第３と第４の行を第１の第２の行に隣接して配置することに加えて、第３と第４の行をより近づけて配置することも可能である。例えば、第１と第２の行の一部の上に重ね合わせて配置することも可能である。その後第４組のホログラム４０、４２を第２行に記録するが、第２組と同様に、第４組のホログラム４０、４２は、第３組のホログラム３０、３２との完全な一致から同一のオフセット距離だけずらす。さらに別組を第２の行に、前組との完全な一致からオフセット距離だけずらして記録することも可能である。
【００２２】
所望数の隣接する行、例えば図２Ａ−Ｃの第１行と第２行が形成されると、隣接する行にオーバーラップする行に、ホログラム組を形成することができる。例えば図２Ｄに示すように、第５組のホログラム５０、５２が第１と第２の行に平行な第３の行に記憶され、そして第１と第２の行に等しくオーバーラップするように配置記憶される。この実施例においては、第５組の各ホログラム（５０）の中心は、第５組の隣接するホログラム（５２）の中心からホログラムの１直径分だけずれて配置され、かつ第１組と第３組の隣接するホログラムの中心を接続する線、例えばホログラム１０と３０の間の線、およびホログラム１２と３２の間の線の中点に配置される。その後第６組のホログラム６０、６２が第３行に記録される。
【００２３】
第６組の各ホログラム（６０）の中心は、第６組の隣接するホログラム（６２）の中心からホログラムの１直径分だけ離れている。そして第６組のホログラム６０、６２は、第５組のホログラム５０、５２との完全な一致からオフセット量だけシフトしている。例えば第６組の各ホログラムの中心は、第２組と第４組の隣接するホログラムの中心を結ぶ線の中点の真上にある。（第５と第６組のホログラムを、特定のホログラム記憶システムに依存して、例えば速度と均一性の間のトレードオフに依存して、この中点以外の場所に配置することも可能である。同時に隣接する行をホログラムの１直径分以上に近づけて配置することも可能である。）さらに別組のホログラムを第３行に配置すること、および等距離離れた、あるいはオーバーラップして以前に形成された行と類似の行を形成することも可能である。
【００２４】
記憶媒体をホログラムで満たすために、ホログラムは通常記憶媒体の個別のセクションに記録される。例えば記憶媒体は、実質上セクタに分割される。様々な行が例えば、特定のシステム、多重化技術が記憶媒体によって形成可能である。一般的に別個のセクションのホログラム間にはオーバーラップは存在しない。さらに四角形あるいは矩形の記憶媒体においては、ダミーのホログラムがエッジに沿って（線形の行の対向する端部に）記録される。しかしこのホログラムはデータを有しない。その理由は、背景収縮および露光が十分な信号対ノイズ比を提供するためには、これらの端部では十分に均一ではないからである。
【００２５】
前述したように、この記録技術を実行することにより、ある行に記録された各後続組の背景は、従来の記録技術よりも安定している。具体的に説明すると、避けがたいポリマ収縮は、前に記録した組のホログラムがオーバーラップしないためにあるいはオーバーラップを制御することにより行にわたって均一に起こる。
【００２６】
オフセット距離は、記録記憶媒体を完成させるのに必要な空間多重化シフトの正数倍である。実際のオフセット距離は、特定のホログラム記録方法を選択することにより（例えばシフト多重化と対開口多重化）によって変わり、そして距離の選択は当業者の選択的事項であり、そしてホログラムの１直径以下である。一般的にホログラムは、比較的緊密に記録される。信号光と参照光により規定された面内の方向にオーバーラップがあるときには、ホログラムは比較的超密に、例えば数ミクロンのオフセットで記録される。より大きなオフセット距離（多重化技術により決定されるが）は、オーバーラップが面外の方向にあるときに与えられる（例えば開口多重化に対してはホログラムの幅の１／３から１／２）。
【００２７】
本発明の記録技術は、光学ポリマ型の記憶媒体が遭遇する収縮を解決するのに特に有効である。様々な種類の光学ポリマ記憶媒体が当業者には公知である。例えば米国特許第５８７４１８７号と米国特許出願第０８−６９８５１１と、米国特許出願第０９／０４６８２２を参照のこと。
【００２８】
本発明の記録技術は、様々な種類の空間多重化技術、例えばシフト多重化、開口多重化、位相相関多重化技術とともに用いることができる。
【００２９】
図３ＡとＢに示すように本発明の他の態様においては、ホログラムは例えば回転ディスクに記録される。上記の実施例においては、第１組のホログラム７２、７４、７６、７８は、円弧に沿ってほぼそれにほぼ平行な第１行に記録され、その結果各ホログラムは隣のホログラムに接触する。すなわち隣接するホログラムの中心はホログラムの直径分だけ離れている。その後図３Ｂに示すように、第２組のホログラム８２、８４、８６、８８も第１行に記録される。第２組のホログラム８２、８４、８６、８８は、第１組のホログラム７２、７４、７６、７８との完全な一致からオフセット距離だけずれている。第１行にさらに別組のホログラムを形成し、各組は前組の完全な一致からオフセット距離だけずれるようにすることも可能である。
【００３０】
図４Ａ、Ｂは、ディスク型記憶媒体９０の上に数本の行のホログラムの記憶方法を示している。第１組のホログラム９２、９４、９６と、第２組のホログラム１０２、１０４が前述したように記録される。その後第３組のホログラム１１２、１１４、１１６が、第１の行に隣接するほぼ平行な第２行に記録される。第１実施例と同様に第３組は、各ホログラム（１１２）の中心は、第３組の隣接するホログラム（１１４）からホログラムの１直径分だけ離れ、同時に第１組の隣接するホログラム（９２）の中心からホログラムの１直径分だけ離れるよう配列される。その後第３組のホログラム１１２、１１４が第２行に記録されるが、第３組のホログラムとの完全な一致からオフセット距離だけずれている。
【００３１】
所望数の隣接する列が形成された後、例えば図４Ａに示すように、その上に重ねた列を形成することが可能である。例えば第５組と第６組のホログラムが、図４Ｂに示すように記憶可能となる。第５組のホログラム１３２、１３４、１３６が第１と第２列に平行な第３列に記憶され、そして第１と第２列に等しくオーバーラップされる（等しくとは、第１列内にのびる第３列のホログラムの量が、第２列にのびる量とほぼ等しいことを意味する）。第５組の各ホログラム（１３２）の中心は、第５組の隣接するホログラム（１３４）の中心からホログラムの１直径分だけ離れ、そして第１組と第２組の隣接するホログラムの中心をつなぐ線、例えばホログラム９２と１１２の間の線、あるいはホログラム９４と１１４の間の線の中点の真上にある。第６組のホログラム１４２、１４４がその後第３列に記録される。第６組の各ホログラム（１４２）の中心は、第６組の隣接するホログラム（１４４）の中心からホログラムの直径分だけ離れている。そして第６組のホログラムは、第５組のホログラムとの完全一致から同一のオフセット距離だけずれている。
【００３２】
ディスク型の記憶媒体の残りは、上記と同一方法でセクタにより満たされる。ここでセクタは、通常リング形状をしている。そして各セクタ内に形成される列の数は設計的選択事項である。
【００３３】
特許請求の範囲に記載した発明の構成要件の後に括弧付きの符号がある場合は、構成要件と実施例と対応づけて発明を容易に理解させる為のものであり、特許請求の範囲の解釈に用いるべきのものではない。
【図面の簡単な説明】
【図１】ホログラム記憶システムの基本的特徴を表す図。
【図２】本発明の第１実施例を表す図。
【図３】本発明の第２実施例を表す図。
【図４】本発明の第３実施例を表す図。
【符号の説明】
１  ホログラム記録システム
２  変調デバイス
３  光学記録記憶媒体
４  センサー
５  信号光
６  参照光
７、８、９  レンズ
１０、１２  第１組のホログラム
２０、２２  第２組のホログラム
３０、３２  第３組のホログラム
４０、４２  第４組のホログラム
５０、５２  第５組のホログラム
６０、６２  第６組のホログラム
７０、９０  ディスク型記憶媒体
７２、７４、７６、７８  第１組のホログラム
８２、８４、８６、８８  第２組のホログラム
９２、９４、９６  第１組のホログラム
１０２、１０４          第２組のホログラム
１１２、１１４、１１６  第３組のホログラム
１２２、１２４          第４組のホログラム
１３２、１３４、１３６  第５組のホログラム
１４２、１４４          第６組のホログラム
【図１】
0005105670.tif 000002
【図２】
0005105670.tif 000003
【図３】
0005105670.tif 000004
【図４】
0005105670.tif 000005